(57)【特許請求の範囲】
【請求項１】
多数の孔が所定間隔で配列形成された多孔板に固定され、ワイヤーハーネスの組立てに使用される組立用治具であって、
組立てに使用する所定の部品と、
部品を下側から支持する下端が尖った支柱と、
支柱を保持する保持部材と、
保持部材を多孔板上に押さえ付けて固定する押さえ部材であって、当該押さえ部材は、多孔板の２つの孔に表面側から嵌められて孔を貫通する一対の脚と、各脚の下端に設けられ、多孔板の裏面と係合するための、同じ方向へ突出する係合突起とを備えていることを特徴とする組立用治具。
【請求項２】
保持部材は、支柱に嵌合された支柱保持部と、多孔板上に配置される台板とを有し、
押さえ部材は、両端が上記一対の脚に連結され、台板をまたぐ横材と、横材に備えられ台板を下方へ押さえ付ける押えねじとを含んでいることを特徴とする請求項１記載の組立用治具。
【発明の詳細な説明】
【０００１】
【発明の属する技術分野】
この発明は、多数の孔が所定間隔で配列形成された多孔板に固定されるワイヤーハーネスの組立用治具に関する。
【０００２】
【従来の技術】
ワイヤーハーネスを組み立てる場合、基板に多数の布線用治具が立設された布線板が用いられる。
布線用治具の基板への取付けは、一般に、基板の所定位置に孔を形成し、布線用治具の下端を孔に嵌め、板の裏面からボルトによって締めつけて行う。布線用治具の取り付けられた基板は、特定の種類のワイヤーハーネスを組み立てるための専用品となる。
【０００３】
一方、ワイヤーハーネスは多種少量生産される傾向にあり、また、試作品の組立てを行う必要もあるので、異なる種類のワイヤーハーネスの組立てに共用できる布線板が望まれる。
このため、従来より、治具取付け孔がマトリックス状に多数形成された多孔板を基板として用い、その多孔板の所定の取付け孔に布線用治具を取り付けた汎用型の布線板が提案されている（たとえば、実開平５−６９８２３号公報参照）。
【０００４】
【発明が解決しようとする課題】
しかしながら、この汎用型の布線板では、表面側から布線用治具を取り付けることはできるが、布線用治具の取付け位置があらかじめ形成された取付け孔の位置によって決定されてしまう。したがって、多孔板上の所望の位置に布線用治具を配置することはできない。
【０００５】
また、多孔板の取付け孔を長孔等とし、布線用治具の取付け後にその取付け位置を調整することも考えられるが、この場合には多孔板の表面および裏面からボルトによって締めつけて行う必要があり、布線用治具の取付けに手間がかかる。
したがって、この発明の目的は、多孔板に表面側から簡単に取り外しができ、かつ、任意の位置に配置できるワイヤーハーネスの組立用治具を提供することである。
【０００６】
【課題を解決するための手段および発明の効果】
【０００７】
請求項１記載の発明は、多数の孔が所定間隔で配列形成された多孔板に固定され、ワイヤーハーネスの組立てに使用される組立用治具であって、組立てに使用する所定の部品と、部品を下側から支持する下端が尖った支柱と、支柱を保持する保持部材と、保持部材を多孔板上に押さえ付けて固定する押さえ部材であって、当該押さえ部材は、多孔板の２つの孔に表面側から嵌められて孔を貫通する一対の脚と、各脚の下端に設けられ、多孔板の裏面と係合するための、同じ方向へ突出する係合突起とを備えていることを特徴とする組立用治具である。
【０００８】
請求項２記載の組立用治具は、請求項１記載の組立用治具において、保持部材は、支柱に嵌合された支柱保持部と、多孔板上に配置される台板とを有し、押さえ部材は、両端が上記一対の脚に連結され、台板をまたぐ横材と、横材に備えられ台板を下方へ押さえ付ける押えねじとを含んでいることを特徴とするものである。
【０００９】
請求項１，２に記載の発明によれば、押さえ部材の脚が２つの孔にそれぞれ固定されるので、組立用治具の取付け強度が高い。また、多孔板の表面側からの操作だけで、組立用治具の取付けおよび取外しを行うことができ、多孔板の所定位置に予め形成された孔の位置に制限されることなく、組立用治具を所望の位置に立設することができる。また、取付け後にも、押さえ機構による押圧量を調節するだけで、簡単に組立用治具の配置位置を変えることができる。
【００１０】
したがって、多孔板に表面側から簡単に取り外しができると同時に、任意の位置に組立用治具を配置することができる。
【００１１】
【発明の実施の形態】
以下には、図面を参照して、この発明の一実施形態について詳細に説明する。図１は、組立用治具の一つの布線用治具を多孔板に取り付けた状態を示す斜視図である。
この発明にかかる布線用治具１は、電線を受け止める電線受け部４を有している。電線受け部４は、支柱５によって下側から支持されている。この支柱５は、クランク状の保持部材６によって保持され、保持部材６は、押さえ部材７によって多孔板３の表面３ａ上に固定されている。
【００１２】
多孔板３は、たとえば金属板からなっている。多孔板３は、所定の厚みを有する平板であり、平板には、上下面を貫通する丸い取付け孔２が多数穿けられている。取付け孔２，２，…は、縦方向および横方向に、所定のピッチＰで等間隔に並んでいるが、縦方向のピッチと横方向のピッチとが異なるように配置されていてもよい。
【００１３】
図２は、布線用治具１の側面図である。
電線受け部４は、電線を受けるためのＵ字金具４１を備えている。この実施形態では、電線受け部としたがこれに限られず、コネクタ受け治具、クランプ取付け治具、テープ巻き位置の指示治具等、ワイヤーハーネスの組立てに必要な他の治具であってもよい。
【００１４】
支柱５は、略円柱形状をしている。支柱５の下端５ｂは、円錐状に尖っている。多孔板上には、図示しないが原寸図が貼り付けてある。下端５ｂを、原寸図で指示された取付け位置に合わせるように取り付けることによって、支柱５を多孔板３上の所望の位置で精度良く立設させることができる。
保持部材６は、長手の矩形板をクランク状に折り曲げたものであり、支柱保持部６１と台板６３と連結板６４とを含んでいる。
【００１５】
台板６３は、多孔板３の表面３ａ上に配置され、押さえ部材７の後述する押さえねじ７４によって多孔板３に押さえ付けられる。
連結板６４は、支柱保持部６１と台板６３とを連結するものであり、連結板６４は、台板６３の一端６３ａから鉛直方向に延び上がっている。
支柱保持部６１は、台板６３と平行に延びている。支柱保持部６１の略中央部には、上記支柱５と嵌合する丸孔６２が形成されている。この嵌合状態で、支柱保持部６１は、支柱５の中間部５ｃを保持する。
【００１６】
このように、保持部材６がクランク状に設けられているので、保持部材６は、布線用治具１を取り付けた後支柱５が安定するように、支柱５の中間部５ｃを保持することができる。
図３は、押さえ部材７の構成を説明するための図である。
押さえ部材７は金属製であり、保持部材６を、多孔板３に押さえ付け固定している。押さえ部材７は、一対の脚７１，７１と、一対の脚７１，７１に両端７２ａ，７２ｂが連結された横材７２とを備えていて、横転した略コの字形状をしている。各脚７１の下端には、それぞれ多孔板３の裏面３ｂと係合するための係合突起７５が設けられている。係合突起７５，７５は、同じ方向（図３で示す右側方向）に突出している。
【００１７】
隣接する２つの取付け孔２，２に表面３ａ側から脚７１を嵌め込んで押さえ部材７を表面３ａに取り付ける。そして、係合突起７５の突出方向へとずらし、一対の脚７１，７１は上方へとひっぱり上げると、係合突起７５，７５が多孔板３の裏面３ｂと係合する。
また、図３に示されているように、押さえ部材７による固定時には、横材７２は、台板６３の上方をまたいだ状態となる。この横材７２の中間部７２ｃは膨らんでいて、この中間部７２ｃには、上下に貫通するねじ孔７３が形成されている。ねじ孔７３の上方から押さえねじ７４が取り付けられている。押さえねじ７４を締め付けると、押さえねじ７４は、脚７１を引っぱり上げながら台板６３を下方へ押え付け、保持部材６が多孔板３上に固定される。なお、図１および図２に示されているように、横材７２は２枚の板を貼り合わせて構成されている。
【００１８】
このように、押さえ部材７の各脚７１が２つの取付け孔２，２内に嵌め込まれて布線用治具１が固定されるので、布線用治具１の取付け強度が高い。
さらに、多孔板３の表面３ａ側だけで布線用治具１の取付け、取外しを行うことができる。
図４は、布線用治具１の平面図である。
【００１９】
押さえねじ７４の締付けを弛めると、矢印Ａ１で示す方向に保持部材６を回転させ、また、矢印Ａ２で示す方向に保持部材６をスライドさせることが可能となる。すなわち、多孔板３の所定位置に予め形成された取付け孔２の位置に制限されることなく、支柱５の位置を所望の位置に立設することができる。
また、布線用治具１を多孔板３に取り付けた後にも、押さえねじ７４による押圧量を調節するだけで、簡単に支柱５の配置位置を変えることができる。
【００２０】
したがって、多孔板３に表面３ａ側から簡単に取り外しができると同時に、任意の位置で精度良く電線を保持することができる。
その他、特許請求の範囲に記載された範囲内で種々の変更を施すことが可能である。
【図面の簡単な説明】
【図１】布線用治具を多孔板に取り付けた状態を示す斜視図である
【図２】布線用治具の側面図である。
【図３】押さえ部材の構成を説明するための図である。
【図４】布線用治具の平面図である。
【符号の説明】
１  布線用治具（組立用治具）
２  取付け孔
３  多孔板
３ａ  表面
３ｂ  裏面
４  電線受け部
５  支柱
６  保持部材
７  押さえ部材
６１  支柱保持部
６３  台板
７１  脚
７２  横材
７３  ねじ孔（押さえ機構）
７４  押さえねじ（押さえ機構）
７５  係合突起
【図１】
0003552928.tif 000002
【図２】
0003552928.tif 000003
【図３】
0003552928.tif 000004
【図４】
0003552928.tif 000005